(57)【要約】【課題】音声入力により意図する文字情報を容易に作成できる携帯電話システムおよび文字情報作成装置を提供する。【解決手段】通信端末１は、音声信号をマイク１０１で取得し文字情報作成装置２に送る。文字情報作成装置２は、リアルタイムで、音声信号に対して音声認識を行い文字情報を作成して通信端末１に送る。通信端末１は、その文字情報を表示する。通信端末１は、文字情報がユーザの意図するものなければ、ユーザの操作に従って修正を文字情報作成装置２に指示する。文字情報がユーザの意図どおりに修正されると、文字情報作成装置２は、文字情報の音声認識を確定させ、かな漢字変換して通信端末１に送る。通信端末１は、ユーザの操作に従い、必要に応じて、再変換するよう文字情報作成装置２に指示する。最後に、文字情報作成装置２は、かな漢字変換を確定させる。【選択図】　　　図１
2004032275.tif 000002
【特許請求の範囲】
【請求項１】
音声より文字情報を作成する機能を有する文字情報作成システムであって、
マイクを有し、該マイクにて取得された音声信号を文字情報作成装置に送り、前記音声信号に基づく文字情報を前記文字情報作成装置から受信すると該文字情報を表示し、該文字情報がユーザの意図するものであれば前記文字情報作成装置に音声認識の確定をリアルタイムで通知する通信端末と、
前記音声信号を前記通信端末から受けると、リアルタイムで、該音声信号に対して音声認識を行い文字情報を作成して該文字情報を前記通信端末に送り、また前記通信端末から音声認識の確定の通知を受けると、該文字情報の音声認識をリアルタイムで確定する文字情報作成装置とを有する文字情報作成システム。
【請求項２】
前記通信端末は、前記文字情報が前記ユーザの意図するものでなく消去すべきものであれば前記文字情報の消去を前記文字情報作成装置にリアルタイムで指示し、また前記文字情報が前記ユーザの意図するものでなく修正すべきものであれば前記文字情報の修正を前記文字情報作成装置にリアルタイムで指示し、
前記文字情報作成装置は、前記通信端末から前記文字情報の消去を指示されると、該文字情報をリアルタイムで消去し、また前記通信端末から前記文字情報の修正を指示されると、該文字情報をリアルタイムで修正する、請求項１記載の文字情報作成システム。
【請求項３】
前記文字情報作成装置は、前記文字情報の音声認識を確定した後に、該文字情報をかな漢字変換し、かな漢字変換後の文字情報を前記通信端末に送信し、また前記通信端末からかな漢字変換の確定の通知を受けると、前記かな漢字変換後の文字情報のかな漢字変換をリアルタイムで確定し、
前記通信端末は、前記かな漢字変換後の文字情報を前記文字情報作成装置から受けると、前記かな漢字変換後の文字情報をリアルタイムで表示し、前記かな漢字変換後の文字情報がユーザの意図するものであれば前記文字情報作成装置にかな漢字変換の確定をリアルタイムで通知する、請求項１または２記載の文字情報作成システム。
【請求項４】
前記通信端末は、前記かな漢字変換後の文字情報が前記ユーザの意図するものでなければ、前記文字情報作成装置に再変換をリアルタイムで指示し、
前記文字情報作成装置は、前記通信端末から前記かな漢字変換後の文字情報の再変換を指示されると、前記かな漢字変換後の文字情報をリアルタイムで再変換する、請求項３記載の文字情報作成システム。
【請求項５】
前記通信端末は、前記音声信号を非音声通信によりリアルタイムで前記文字情報作成装置に送る、請求項１〜４のいずれか１項に記載の文字情報作成システム。
【請求項６】
前記通信端末は、前記音声信号を音声通信によりリアルタイムで前記文字情報作成装置に送る、請求項１〜４のいずれか１項に記載の文字情報作成システム。
【請求項７】
前記通信端末は、前記文字情報を非音声通信によりリアルタイムで前記通信端末に送る、請求項１〜６のいずれか１項に記載の文字情報作成システム。
【請求項８】
前記通信端末は、前記文字情報作成装置に対する通知および指示をリアルタイムで非音声通信により送る、請求項１〜７のいずれか１項に記載の文字情報作成システム。
【請求項９】
前記非音声通信はパケット通信である、請求項５、７、８のいずれか１項に記載の文字情報作成システム。
【請求項１０】
前記文字情報作成装置は、前記通信端末からの指示に従って、リアルタイムで、前記文字情報を利用して電子メールを作成し、送信する、請求項１〜９のいずれか１項に記載の文字情報作成システム。
【請求項１１】
通信ネットワークに接続され、通信端末から該通信ネットワークを介して受信した音声信号から文字情報を作成する文字情報作成装置であって、
前記通信端末からの音声信号を受信する通信部と、
前記通信部にて受信された前記音声信号に対してリアルタイムで音声認識処理を行い文字情報を作成し、該文字情報を前記通信部を介して前記通信端末に送信し、また前記通信端末から音声認識の確定の通知を受けると、前記文字情報の音声認識をリアルタイムで確定する音声認識部とを有する文字情報作成装置。
【請求項１２】
前記音声認識部は、前記通信端末から前記文字情報の消去を指示されると、該文字情報をリアルタイムで消去し、また前記通信端末から前記文字情報の修正を指示されると、該文字情報をリアルタイムで修正する、請求項１１記載の文字情報作成装置。
【請求項１３】
前記音声認識部で前記文字情報の音声認識が確定された後、該文字情報をかな漢字変換し、かな漢字変換後の文字情報を前記通信部を介して前記通信端末に送信する文字編集部をさらに有する、請求項１１または１２記載の文字情報作成装置。
【請求項１４】
前記文字編集部は、前記通信端末から再変換を指示されると、前記かな漢字変換後の文字情報をリアルタイムで再変換する、請求項１３記載の文字情報作成装置。
【請求項１５】
前記通信部は、前記通信端末から前記音声信号を非音声通信により受信する、請求項１１〜１４のいずれか１項に記載の文字情報作成装置。
【請求項１６】
前記通信部は、前記通信端末から前記音声信号を音声通信により受信する、請求項１１〜１４のいずれか１項に記載の文字情報作成装置。
【請求項１７】
前記通信部は、前記通信端末から前記文字情報を非音声通信により受信する、請求項１１〜１６のいずれか１項に記載の文字情報作成装置。
【請求項１８】
前記通信部は、前記通信端末から通知および指示を非音声通信により受信する、請求項１１〜１７のいずれか１項に記載の文字情報作成装置。
【請求項１９】
前記非音声通信はパケット通信である、請求項１５、１７、１８のいずれか１項に記載の文字情報作成装置。
【請求項２０】
前記通信端末からの指示に従って、リアルタイムで、前記文字情報を利用して電子メールを作成し、送信するメール送信部をさらに有する、請求項１１〜１９のいずれか１項に記載の文字情報作成装置。
【発明の詳細な説明】
【０００１】
【発明の属する技術分野】
本発明は、携帯電話機等の文字入力に関する。
【０００２】
【従来の技術】
従来より、携帯電話機において電子メールの本文の作成するときなど、ユーザはキー操作により文字情報を入力している。例えば、ひらがなを入力した後、その文字情報をかな漢字変換することにより、ユーザは意図した文字情報を得ることができる。通常、それらの処理は全て携帯電話機に備えられた機能によって行われる。
【０００３】
しかし、小型であることが好ましい携帯電話機のキーは、一般に操作しずらいものである。そのわずらわしさを解消するために、音声入力により文字情報を作成することが考えられている。
【０００４】
音声認識により文字情報を入力するための処理は複雑であるため、それを行う装置には高い処理能力が要求される。しかし、近年の技術の進歩により、文字情報の音声入力は一般化してきている。そして、パーソナルコンピュータなどで実行可能な、音声認識を行うためのソフトウェアプログラム（以下、音声認識プログラム）が開発されている。ユーザの利便性を考えると、このような音声認識プログラムを携帯電話機上でも実行できることが好ましい。
【０００５】
しかし、携帯電話機の処理能力が向上しているとはいえ、現状では音声認識プログラムを実行するには処理能力が不足しており、携帯電話機上で音声認識プログラムを実行するのはやや無理がある。また、携帯電話機に処理能力の高いプロセッサや記憶容量の大きな記憶装置を備えるのは、小型化、低コスト化、低消費電力化などが重要視される携帯電話機において、必ずしも好ましいことでないことがある。
【０００６】
これに対して、通信ネットワーク上にあり、携帯電話機からアクセス可能で、音声データを文字情報に変換する機能を有するコンピュータ（以下、変換装置と称す）を設けることが考えられている。例えば、従来の携帯電話システムでは、携帯電話機から変換装置に音声通話を接続してユーザが携帯電話機に音声を入力すると、その音声は音声データとして変換装置に蓄積される。次に、変換装置が音声データを文字情報に変換する。音声データが変換された文字情報はデータ通信によって携帯電話機に送り返される。
【０００７】
特開２００２−１６７０１号公報には、携帯電話機に入力された音声を文字情報に変換する装置（以下、変換装置と称す）が開示されている。特開２００２−１６７０１号公報によれば、電話回線を通して入力された音声は変換装置に一旦録音される。そして、変換装置は、録音した音声データを、かな漢字混じりの文字情報に変換する。次に、変換装置は、文字情報を電子メールにより携帯電話機に送信する。
【０００８】
特開２００１−３５０４９３号公報には、携帯電話機に入力された音声を電話回線を介して受信し、文字情報に変換した後、その文字情報を同じ電話回線を介して携帯電話機に送信する装置（以下、変換装置と称す）が開示されている。この変換装置は、１本の電話回線で音声と文字情報とが送受信されるが、音声と文字情報は時間を分けてその回線上を伝送される。
【０００９】
特開２００１−３０９０４９号公報には、音声を文字情報に変換するとき、意図する変換が得られる率（以下、変換率と称す）を向上させるための手法が示されている。特開２００１−３０９０４９号公報によれば、音声を文字情報に変換する機能を有するメール作成装置にて使用される変換辞書等をユーザ自身が予め指定しておく。入力した音声は、ユーザが予め設定した辞書によって自動的に変換されることにより高い変換率が得られる。
【００１０】
【発明が解決しようとする課題】
特開２００２−１６７０１号公報によれば、ユーザは音声を文字情報に変換することができる。しかし、この変換は変換装置によって自動的に行われるので、変換結果にユーザの意志が反映されず、ユーザの意図しない変換結果が得られてしまうことが多い。
【００１１】
特開２００１−３５０４９３号公報によれば、特開２００２−１６７０１号公報と同様に、ユーザは音声を文字情報に変換することができる。しかし、この場合も、変換結果にユーザの意志が反映されず、ユーザの意図しない変換結果が得られてしまうことが多い。変換結果に意図するものと異なる部分がある場合、ユーザは携帯電話機を操作して、その部分を修正する必要がある。
【００１２】
特開２００１−３０９０４９号公報によれば、音声を文字に変換するときの変換率が向上する。しかし、この場合も、変換結果にユーザの意志が反映されるわけではない。したがって、変換結果が得られた後、ユーザはそれを添削する必要がある。ユーザが予め指定した辞書が使用されているとはいえ、音声認識における誤りと、かな漢字混じりの文字情報に変換するときの誤りとが相乗して変換結果に現れるので、添削が必要とされる可能性は低くない。また、特開２００１−３０９０４９号公報には、意図しない部分を修正する手段も開示されている。これによれば、修正の必要な部分をユーザがメール作成装置に通知すると、メール作成装置がそれを修正してユーザに送り返す。このように、ユーザは変換結果を添削し、修正することができるが、変換結果を改めて見直し、修正すべき部分を抽出し、その部分をメール作成装置に通知する必要があり、非常に手間のかかる作業である。
【００１３】
本発明の目的は、音声入力により容易に意図する文字情報を作成できる携帯電話システムおよび文字情報作成装置を提供することである。
【００１４】
【課題を解決するための手段】
上記目的を達成するために、本発明の文字情報作成システムは、音声より文字情報を作成する機能を有する文字情報作成システムであって、
マイクを有し、該マイクにて取得された音声信号を文字情報作成装置に送り、前記音声信号に基づく文字情報を前記文字情報作成装置から受信すると該文字情報を表示し、該文字情報がユーザの意図するものであれば前記文字情報作成装置に音声認識の確定をリアルタイムで通知する通信端末と、
前記音声信号を前記通信端末から受けると、リアルタイムで、該音声信号に対して音声認識を行い文字情報を作成して該文字情報を前記通信端末に送り、また前記通信端末から音声認識の確定の通知を受けると、該文字情報の音声認識をリアルタイムで確定する文字情報作成装置とを有している。
【００１５】
したがって、本発明によれば、通信端末が音声を文字情報作成装置に送り、文字情報作成装置が音声認識を行ってリアルタイムで文字情報を作成し、その文字情報を通信端末に送り返すことができる。
【００１６】
本発明の一態様によれば、前記通信端末は、前記文字情報が前記ユーザの意図するものでなく消去すべきものであれば前記文字情報の消去を前記文字情報作成装置にリアルタイムで指示し、また前記文字情報が前記ユーザの意図するものでなく修正すべきものであれば前記文字情報の修正を前記文字情報作成装置にリアルタイムで指示し、
前記文字情報作成装置は、前記通信端末から前記文字情報の消去を指示されると、該文字情報をリアルタイムで消去し、また前記通信端末から前記文字情報の修正を指示されると、該文字情報をリアルタイムで修正する。
【００１７】
したがって、ユーザの意図に合わないためユーザが消去または修正の操作を通信端末に対して行うと、それが文字情報作成装置に通知され、リアルタイムで文字情報が消去または修正される。
【００１８】
本発明の一態様によれば、前記文字情報作成装置は、前記文字情報の音声認識を確定した後に、該文字情報をかな漢字変換し、かな漢字変換後の文字情報を前記通信端末に送信し、また前記通信端末からかな漢字変換の確定の通知を受けると、前記かな漢字変換後の文字情報のかな漢字変換をリアルタイムで確定し、
前記通信端末は、前記かな漢字変換後の文字情報を前記文字情報作成装置から受けると、前記かな漢字変換後の文字情報をリアルタイムで表示し、前記かな漢字変換後の文字情報がユーザの意図するものであれば前記文字情報作成装置にかな漢字変換の確定をリアルタイムで通知する。
【００１９】
したがって、通信端末にて音声認識が確定されると、文字情報作成装置にて文字情報は、かな漢字変換され、変換後の文字情報が通信端末に送られ、通信端末に表示される。
【００２０】
本発明の一態様によれば、前記通信端末は、前記かな漢字変換後の文字情報が前記ユーザの意図するものでなければ、前記文字情報作成装置に再変換をリアルタイムで指示し、
前記文字情報作成装置は、前記通信端末から前記かな漢字変換後の文字情報の再変換を指示されると、前記かな漢字変換後の文字情報をリアルタイムで再変換する。
【００２１】
したがって、文字情報が通信端末に表示され、ユーザが再変換の操作をすると、それがリアルタイムで文字情報作成装置に通知され、文字情報作成装置にてリアルタイムで再変換される。
【００２２】
本発明の一態様によれば、前記通信端末は、前記音声信号を非音声通信によりリアルタイムで前記文字情報作成装置に送る。
【００２３】
本発明の一態様によれば、前記通信端末は、前記音声信号を音声通信によりリアルタイムで前記文字情報作成装置に送る。
【００２４】
本発明の一態様によれば、前記通信端末は、前記文字情報を非音声通信によりリアルタイムで前記通信端末に送る。
【００２５】
本発明の一態様によれば、前記通信端末は、前記文字情報作成装置に対する通知および指示をリアルタイムで非音声通信により送る。
【００２６】
本発明の一態様によれば、前記非音声通信はパケット通信である。
【００２７】
したがって、音声信号、文字情報、通知や指示が、パケット通信などの非音声通信により送信されるので、これらの送信が必要なときにリアルタイムで送信することができる。
【００２８】
本発明の一態様によれば、前記文字情報作成装置は、前記通信端末からの指示に従って、リアルタイムで、前記文字情報を利用して電子メールを作成し、送信する。
【００２９】
本発明の文字情報作成装置は、通信ネットワークに接続され、通信端末から該通信ネットワークを介して受信した音声信号から文字情報を作成する文字情報作成装置であって、
前記通信端末からの音声信号を受信する通信部と、
前記通信部にて受信された前記音声信号に対してリアルタイムで音声認識処理を行い文字情報を作成し、該文字情報を前記通信部を介して前記通信端末に送信し、また前記通信端末から音声認識の確定の通知を受けると、前記文字情報の音声認識をリアルタイムで確定する音声認識部とを有している。
【００３０】
本発明の一態様によれば、前記音声認識部は、前記通信端末から前記文字情報の消去を指示されると、該文字情報をリアルタイムで消去し、また前記通信端末から前記文字情報の修正を指示されると、該文字情報をリアルタイムで修正する。
【００３１】
本発明の一態様によれば、前記音声認識部で前記文字情報の音声認識が確定された後、該文字情報をかな漢字変換し、かな漢字変換後の文字情報を前記通信部を介して前記通信端末に送信する文字編集部をさらに有している。
【００３２】
本発明の一態様によれば、前記文字編集部は、前記通信端末から再変換を指示されると、前記かな漢字変換後の文字情報をリアルタイムで再変換する。
【００３３】
本発明の一態様によれば、前記通信部は、前記通信端末から前記音声信号を非音声通信により受信する。
【００３４】
本発明の一態様によれば、前記通信部は、前記通信端末から前記音声信号を音声通信により受信する。
【００３５】
本発明の一態様によれば、前記通信部は、前記通信端末から前記文字情報を非音声通信により受信する。
【００３６】
本発明の一態様によれば、前記通信部は、前記通信端末から通知および指示を非音声通信により受信する。
【００３７】
本発明の一態様によれば、前記非音声通信はパケット通信である。
【００３８】
本発明の一態様によれば、前記通信端末からの指示に従って、リアルタイムで、前記文字情報を利用して電子メールを作成し、送信するメール送信部をさらに有している。
【００３９】
【発明の実施の形態】
本発明の一実施形態について図面を参照して詳細に説明する。
【００４０】
図１は、本発明の一実施形態の携帯電話システムおよびそれを構成する各装置の構成を示すブロック図である。図１を参照すると、携帯電話システムは、携帯電話機１と文字情報作成装置２を有している。携帯電話機１と文字情報作成装置２はパケット通信回線３によって相互に接続されている。パケット通信回線３は無線回線および有線回線を含み、基地局（不図示）や基地局制御装置（不図示）などを経由する。
【００４１】
携帯電話機１は、ユーザが入力した音声をパケット通信回線３により文字情報作成装置２に送る。文字情報作成装置２は、携帯電話機１から受信した音声に対して音声認識を行い文字情報を作成する。文字情報作成装置２は、文字情報作成の認識経過情報をパケット通信回線３を介して携帯電話機１に送る。認識経過情報は、文字情報作成装置２において作成された文字情報であって、まだ音声認識が確定していない部分を含むものである。ユーザは携帯電話機１に表示された認識経過情報を見て、携帯電話機１を操作することにより、文字情報を修正する。
【００４２】
このとき、音声認識結果の修正を指示するコマンド（以下、修正コマンドと称す）が携帯電話機１から文字情報作成装置２にパケット通信回線３を介して送られる。修正コマンドは、修正部分と修正内容を含む。文字情報作成装置２は修正コマンドに従って文字情報を修正し、経過情報を再び携帯電話機１に送る。
【００４３】
音声認識結果がユーザの意図するものとなれば、ユーザの指示により携帯電話機１は、音声認識結果を確定するための音声認識確定コマンドを文字情報作成装置２に送信する。音声認識結果がユーザの意図するものでなければ、ユーザの指示により携帯電話機１は、文字情報作成装置２に修正コマンドを送る。
【００４４】
音声認識確定コマンドにより音声認識の結果が確定されると、文字情報作成装置２では、かな漢字変換が行われ、変換経過情報が携帯電話機１に送信される。変換経過情報は、文字情報作成装置２において作成された文字情報であって、まだかな漢字変換の確定していない部分を含むものである。変換経過情報のかな漢字変換がユーザの意図するものでなければ、ユーザの操作により携帯電話機１は、再変換を指示するための変換コマンドを文字情報作成装置２に送信する。また、ユーザは経過情報が意図するような文字情報となっていれば確定する。このとき、携帯電話機１から文字情報作成装置２には変換確定コマンドが送られる。
【００４５】
携帯電話機１は、マイク１０１、Ａ／Ｄ変換部１０２、パケット通信部１０３、文字編集部１０４、表示部１０５、操作部１０６およびメール送受信部１０７を有している。
【００４６】
例えば、第３世代携帯電話システムなどによれば、パケット通信の伝送容量が大きくリアルタイム性が高い。すなわち、ユーザは文字情報を作成している装置が遠隔にあることをほとんど意識することなく、文字情報を作成することができる。携帯電話機１から指示や通知があれば、文字情報作成装置２は即座に所定の処理を行うことができるので、携帯電話機１にて直接に処理するのと同等のレスポンス性をユーザに提供できる。
【００４７】
文字情報作成装置２は、パケット通信部２０１、Ｄ／Ａ変換部２０２、音声認識部２０３、文字編集部２０４およびメール送信部２０５を有している。
【００４８】
Ａ／Ｄ変換部１０２は、マイク１０１によって得られた音声信号をアナログ・ディジタル変換して音声データを得る。Ａ／Ｄ変換部１０２は、ユーザにより利用可能なアプリケーションプログラムにより実現されるものであってもよい。また、Ａ／Ｄ変換部１２０は通常時には停止しており、音声入力により文字情報を作成するときにのみ起動することが好ましい。
【００４９】
パケット通信部１０３は、パケット通信回線３を介してパケット通信を行う。例えば、Ａ／Ｄ変換部１０２で得られた音声データをパケット化し、パケット通信回線３を介して文字情報作成装置２に送信する。このとき、Ａ／Ｄ変換部１０２の指示により、パケット通信部１０３とパケット通信部２０１の間にパケット通信のコネクションが確立される。パケット通信部１０３とパケット通信部２０１の間のコネクションが確立されると、パケット通信部１０３は、マイク１０１からの音声信号がアナログ・ディジタル変換された音声データを文字情報作成装置２に送信可能な状態となる。
【００５０】
文字編集部１０４は、文字情報作成装置３の文字編集部２０４との間でデータや情報を送受信しながら、文字情報を編集する。文字編集部１０４は、文字情報作成装置２からパケット通信部１０３を介して経過情報を受信し、その経過情報を表示部１０５に表示させる。また、操作部１０６に対するユーザの操作に従って修正コマンド、音声認識確定コマンド、文字情報消去コマンド、再変換コマンドまたは変換確定コマンドを作成し、パケット通信１０３を介して文字情報作成装置２に送る。
【００５１】
表示部１０５は、液晶などのディスプレイ画面を含み、文字情報や画像を表示する。文字情報作成装置２からパケット回線３を介してパケット通信部１０３に送られてきた文字情報作成の経過情報を表示する。
【００５２】
操作部１０６は、プッシュボタンを含み、文字情報の作成や修正、メール送信を行うときユーザにより操作される。
【００５３】
メール送受信部１０７は、文字情報作成装置２によって作成された文字情報を利用して電子メールを作成し、送信する。また、メール送受信部１０７は、パケット通信により文字情報作成装置２に電子メールの作成を指示し、文字情報作成装置２上に作成された電子メールの送信を文字情報作成装置２に指示することもできる。このときメール送信指示のコマンド（以下、メール送信コマンドと称す）には電子メールの送信先の情報が含まれる。
【００５４】
パケット通信部２０１は、パケット通信回線３を介してパケット通信を行う。例えば、携帯電話機１から音声データを受信し、Ｄ／Ａ変換部２０２に送る。また、携帯電話機１からの修正コマンドや確定コマンドをパケット通信回線３を介して受信し、文字編集部２０４に送る。
【００５５】
Ｄ／Ａ変換部２０２は、パケット通信部２０１からの音声データをディジタル・アナログ変換して音声信号を作成し、音声認識部２０３に送る。
【００５６】
音声認識部２０３は、Ｄ／Ａ変換部２０２からの音声信号に対して音声認識処理を行い、文字情報に変換する。当然、ここで得られる文字情報には漢字は含まれていない。
【００５７】
なお、ここでは音声認識部２０３はアナログ音声信号を文字情報に変換するものとして例示したが、他の例として、ディジタルの音声データを文字情報に変換してもよい。その場合、Ｄ／Ａ変換部２０２は不要であり、携帯電話機１からの音声データがそのまま音声認識部２０３に入力されてもよい。また、Ｄ／Ａ変換部２０２の代わりに、携帯電話機１からの音声データを音声認識部２０３の入力に適合する形式の音声データに変換するＤ／Ｄ変換器が設けられてもよい。
【００５８】
文字編集部２０４は、音声認識部２０３で得られた文字情報に対してかな漢字変換処理を行い、かな漢字混じりの文字情報を作成する。文字編集部２０４は、かな漢字混じりの文字情報を作成すると、その文字情報を経過情報としてパケット通信部２０１を介して携帯電話機１に送信する。文字編集部２０４は、携帯電話機１からパケット通信部２０１を介してコマンドを受信すると、その指示に従って文字情報を処理する。ユーザは、携帯電話機１に音声を入力し、携帯電話機１に対して簡単な操作を行うことにより、例えば単語毎や文節単位など所望のかな漢字変換を行い、効率良く文字情報を作成できる。このようにして、文字編集部２０４は携帯電話機１の電子メールや電話帳情報を作成する。
【００５９】
また、文字編集部２０４は、携帯電話機１からメール送信コマンドを受けると、指定された送信先に対する電子メールの送信をメール送信部２０５に指示する。
【００６０】
メール送信部２０５は、文字編集部２０４から指示された電子メールを指示された送信先に送信する。
【００６１】
図２は、本実施形態の携帯電話システムの動作を示すシーケンス図である。図２において▲の付された処理はパケット通信を伴う処理である。図２を参照すると、まず、電子メールの作成や電話帳への情報の追加など文字情報を作成したいとき、ユーザは音声入力機能（アプリケーション）を起動する（ステップＳ１）。
【００６２】
次に、携帯電話機１と文字情報作成装置２はパケット通信部１０３とパケット通信部２０１の間にコネクションを設定する。その際、本実施形態では、文字情報作成装置２は、携帯電話機１あるいはユーザが、音声入力による文字情報作成を許容されたものであるか否か確認するために、パスワードによる認証を行うものとする。また、音声を文字情報に変換するときに利用される音声認識や、かな漢字変換のための辞書をユーザ毎に切り替えるものとする。
【００６３】
具体的には、携帯電話機１がパケット通信開始要求を文字情報作成装置２に送ると（ステップＳ２）、文字情報作成装置２は認証要求を携帯電話機１に送る（ステップＳ３）。認証要求を受けると、携帯電話機１は、パスワードを含む認証応答を文字情報作成装置２に送る（ステップＳ４）。文字情報作成装置２は、認証応答に含まれているパスワードを確認すると認証を完了する（ステップＳ５）。
【００６４】
次に、文字情報作成装置２は、その利用者用の辞書を選択して準備する（利用者別セットアップ）（ステップＳ６）。セットアップが完了すると、文字情報作成装置２は、セットアップが完了した旨を携帯電話機１に通知する（ステップＳ７）。
【００６５】
次に、携帯電話機１が認識開始コマンドを文字情報作成装置２に送る（ステップＳ８）。以上の処理により、携帯電話機１および文字情報作成装置２は音声入力待ちとなる。
【００６６】
次に、ユーザがマイク１０１に音声を入力すると、携帯電話機１は、その音声をアナログ・ディジタル変換して音声データにし、その音声データをパケット化して文字情報作成装置２に送信する（ステップＳ９）。音声データを送信（ステップＳ１０）した後、携帯電話機１は文字情報作成装置２に認識コマンドを送る（ステップＳ１１）。認識コマンドは、音声から文字情報への変換の開始を指示するためのコマンドである。
【００６７】
音声データおよび認識コマンドを受信すると、文字情報作成装置２は、それをディジタル・アナログ変換し、音声認識する（ステップＳ１２）。次に、文字情報作成装置２は、音声認識により得られた文字情報を認識経過情報として携帯電話機１に送信する（ステップＳ１３）。例えば、音声認識により「せんじうおかいぎのけん」という文字情報が得られたとすると、それが携帯電話機１に送られる。なお、本実施形態では、認識コマンドにより音声認識が行われ、文字情報が携帯電話機１に送られるものとしたが、他の例も考えられる。例えば、音声認識の性能や通信回線の能力などによっては、文字情報作成装置２は入力された音声をリアルタイムで音声認識し、文字情報を携帯電話機１に送るものとしてもよい。その場合、認識コマンドは不要である。
【００６８】
携帯電話機１は、文字情報を受信すると、それを表示部１０５に表示する。上述の例では、携帯電話機１の表示部１０５には「せんじうおかいぎのけん」と表示される（ステップＳ１４）。ここで、ユーザは表示された文字情報を見て、それが意図するものであるか否か確認する。
【００６９】
文字情報が意図するものでなく最初から音声入力をやり直したいとき、ユーザの操作により携帯電話機１は文字情報作成装置２に文字情報消去コマンドを送信する（ステップＳ１５）。文字情報作成装置２は、文字情報消去コマンドに従って文字情報を消去する（ステップＳ１６）。文字情報消去コマンドは、文字情報の消去を指示するためのコマンドである。文字情報消去コマンドを受信すると、文字情報作成装置２は、消去対象の文字情報を消去し、音声入力待ちの状態となる。ここでは、音声認識の確定していない文字情報が消去される。
【００７０】
また、文字情報が意図するものでなく修正したいとき、ユーザは携帯電話機１を操作して、文字情報を修正する。そのとき、携帯電話機１は、修正すべき部分と修正内容を含む修正コマンドを文字情報作成装置２に送る（ステップＳ１７）。例えば、上述の例で、「せんじつのかいぎのけん」に修正したいとき、ユーザは携帯電話機１の操作部１０６に「４つ５の」と入力する。これは、４番目の文字（「う」）を「つ」に変更し、５番目の文字（「お」）を「の」に変更することを示す。「４つ５の」という修正情報（修正部分および修正内容）を含む、修正コマンドが携帯電話機１から文字情報作成装置２に送信される。修正コマンドを受信すると、文字情報作成装置２は、修正コマンドに従って文字情報を修正する（ステップＳ１８）。
【００７１】
音声認識結果である文字情報が意図するものであれば、携帯電話機１は、ユーザの操作に従って、音声認識の結果を確定する音声認識確定コマンドを文字情報作成装置２に送信する（ステップＳ１９）。音声認識確定コマンドを受信すると、文字情報作成装置２は、その文字情報に対する、かな漢字変換を開始する（ステップＳ２０）。なお、ここでは、音声認識の結果が確定されると、即座に、かな漢字変換が開始される例を示したが、音声認識確定後、かな漢字変換の開始を指示するコマンドが携帯電話機１から文字情報作成装置２に送られてから、かな漢字変換が開始されてもよい。いずれにしても、かな漢字変換が開始されるのは、音声認識の結果が確定してからが好ましい。
【００７２】
文字情報作成装置２は、かな漢字変換を行うと、変換後の文字情報を変換経過情報として携帯電話機１に送信する（ステップＳ２１）。上述の例では、「先日の会議の権」の文字情報が送信される。なお、文字情報は、複数の変換候補を含んでもよい。文字情報に含まれた変換は確定したものでないので、文字情報には、例えば文節の区切りの情報が含まれる。文字情報を受信した携帯電話機１は、その文字情報を文節で区切って表示部１０５に表示する。上述の例では、例えば、「先日の／会議の／権」と表示される。
【００７３】
変換結果が意図するものでなければ、ユーザは文節を選んで再変換を行う。このとき、携帯電話機１から文字情報作成装置２へは、再変換コマンドが送信される（ステップＳ２２）。再変換コマンドには、例えば再変換すべき文節の情報が含まれる。上述の例では、「権」の部分の再変換が指示される。文字情報作成装置２は、再変換コマンドを受信すると、再変換を行う（ステップＳ２３）。再変換により、文字情報の対象部分は、現在の文字から、同じ読みの他の文字に変更される。
【００７４】
なお、本実施形態では、音声認識が確定すると即座に、かな漢字変換が開始されるので、これが再変換となる。しかし、かな漢字変換を指示するコマンドが送られてから、かな漢字変換が開始されることとすれば、ここでかな漢字変換の開始を指示するコマンドが送られ、最初の変換が行われる。
【００７５】
文字情報作成装置２は、再変換を行うと、変換後の文字情報を変換経過情報として携帯電話機１に送信する（ステップＳ２４）。
【００７６】
再変換の繰り返しによって意図する文字情報が得られると、ユーザは文字情報を確定させる。例えば、ユーザは「決定ボタン」を押下する。このとき、変換確定コマンドが携帯電話機１から文字情報作成装置２に送信される（ステップＳ２５）。
【００７７】
変換確定コマンドを受信すると、文字情報作成装置２は、確定した文字情報を携帯電話機１に送信し、音声入力待ちの状態に移行する（ステップＳ２６）。また、確定した文字情報を受信すると、携帯電話機１は、音声入力待ちの状態に移行する（ステップＳ２７）。
【００７８】
以上の処理が繰り返されることにより、ユーザの所望する文章が全て完成すると、ユーザは音声入力機能を動作を終了させる。このとき、携帯電話機１は、パケット通信のコネクションを切断し、音声入力動作を終了する（ステップＳ２８）。また、文字情報作成装置２も、パケット通信のコネクションを切断し、音声入力動作を終了する（ステップＳ２９）。このとき、携帯電話機１および文字情報作成装置２にて使用されていたリソース、例えばパケット通信のコネクションや実行されていたアプリケーション等が解放される。
【００７９】
その後、ユーザは文字情報を利用して文章編集作業、例えばコピーや貼り付け、文字の挿入、削除などを行うことができる。
【００８０】
なお、本実施形態では携帯電話機が例示されているが、本発明はそれに限定されるものではない。パケット通信回線を利用でき、文字入力を要する電子機器であれば本発明を適用可能である。例えば、ＦＡＸ電話機の内蔵電話帳編集や、ＰＨＳ端末での内蔵電話帳編集などに本発明を適用することができる。
【００８１】
また、本実施形態では、得られた文字情報はパケット通信により携帯電話機１の文字編集部１０４に送信されることとしたが、本発明はそれに限定されない。文字情報作成装置２の文字編集部２０４からパケット通信による電子メールとして携帯電話機のメール送受信部１０７に自動送信してもよい。
【００８２】
また、本実施形態では、携帯電話機１上で文字編集作業（コピーや貼り付け、文字挿入／削除、など）を行う例を示したが、文字情報を編集するコマンドを規定し、それを用いれば文字情報作成装置２上で文字編集作業を行うこともできる。
【００８３】
また、本実施形態にて例示したコマンドは携帯電話機１の操作部１０６に対する操作により送出されることとしたが、音声入力によって送出されてもよく、操作部１０６に対する操作と音声の組み合わせによって送出されてもよい。
【００８４】
また、本実施形態では、音声データをパケット通信によって携帯電話機１から文字情報作成装置２に送信する例を示したが、携帯電話機１と文字情報作成装置２の間に音声通話とパケット通信を同時に設定し、音声データを音声通話にて送り、コマンドをパケット通信により送ることとしてもよい。例えば、第３世代携帯電話システムやＩＳＤＮ、インターネット（ＩＰ）電話などによれば、それが可能である。それにより２者の会話を文字情報化することも可能となる。
【００８５】
また、本実施形態において、パケット通信により送受信される音声データや文字情報は、パケット通信回線３の負荷を軽減するために、圧縮されたデータであってもよい。
【００８６】
また、本実施形態において、パケット通信により送受信される音声データや文字情報、通知や指示は、情報セキュリティを確保するために、暗号化されたものであってもよい。
【００８７】
本実施形態によれば、携帯電話機１が音声をパケット通信により文字情報作成装置２に送り、文字情報作成装置２が携帯電話機１とのパケット通信によりユーザの確認を得ながら音声認識およびかな漢字変換を行って文字情報を作成し、その文字情報をパケット通信により携帯電話機に送り返すので、携帯電話機１の操作部１０６に対する、わずらわしい操作が少なくて済むので、携帯電話機１での文字情報作成が容易である。
【００８８】
また、音声データ、各種コマンドおよび文字情報の送信にパケット通信を用いることにより、ユーザの音声入力から修正を経て文字情報の完成までリアルタイムで行うことができる。また、文字情報の作成と同時に、それとは別に音声による通話を行うこともできる。
【００８９】
また、音声通話とパケット通信を同時に設定し、音声入力に音声通話を用い、コマンドおよび文字情報の送信にパケット通信を用いれば、リアルタイムで文字情報を修正し、作成することができる。
【００９０】
また、実際には文字情報作成装置２上で文字情報が作成されるが、携帯電話機１上で文字情報を作成するのと同様にユーザはリアルタイムで修正や確認ができる。
【００９１】
また、音声認識が文字情報作成装置２によって行われるので、従来からの携帯電話機１に音声認識機能を追加せずに音声入力による文字情報作成を実現できる。
【００９２】
また、音声認識およびかな漢字変換が文字情報作成装置２によって行われるので、携帯電話機１よりも処理能力の高い演算装置や記憶容量の大きい記憶装置を用いることができ、変換率の高い音声認識およびかな漢字変換が利用できる。
【００９３】
また、音声認識およびかな漢字変換が文字情報作成装置２によって行われるので、文字情報作成装置２のこれらの機能（例えばソフトウェア）を改善することにより、全ての携帯電話機が改善された機能を利用可能となる。これにより、音声認識ロジックの改善、辞書の更新、不具合の改修などが容易かつ迅速にでき、また機能を一元的に管理できる。
【００９４】
また、音声認識およびかな漢字変換が文字情報作成装置２によって行われるので、携帯電話機１にこれらの機能を搭載する必要が無く、携帯電話機１の大きさや重さ、コストを抑えることができる。
【００９５】
本実施形態の携帯電話システムでは、携帯電話機１からの操作により、文字情報を利用して文字情報作成装置２上で電子メールを作成し、その電子メールを所望の送信先に送信できることとしてもよい。
【００９６】
この場合、携帯電話機１から文字情報作成装置２に電子メールの送信を指示するときに通知する送信先は、携帯電話機１に内蔵されたアドレス帳からユーザが選択できる。これにより、携帯電話機１から直接送信される電子メールと、文字情報作成装置２から送信される電子メールとでアドレス帳が共用される。音声入力により文字情報作成装置２上で本文を作成し、携帯電話機１のアドレス帳から送信先を選択できるので、簡単な操作で電子メールの作成から送信まで行うことができ、またアドレス帳の一元管理ができる。
【００９７】
また、本実施形態の携帯電話システムは、電子メールではなく、リアルタイムで文字情報作成装置２から直接相手へ文字データを送信（チャット）できてもよい。
【００９８】
また、本実施形態では、文字情報作成装置２上で音声から文字情報を作成し、文字編集を行なう例を示したが、音声認識のみを文字情報作成装置２で行い、かな漢字変換および文字編集は携帯電話機１上で行うこととしてもよい。
【００９９】
また、携帯電話機１へ搭載されパケット通信を用いてコンピュータと通信する機能が携帯電話機１に予め内蔵されている例を示したが、その機能を実現する処理を有するプログラムを必要に応じて携帯電話機１へインストール（ダウンロード）できることしてもよい。この場合、プログラムは特定の携帯電話機１に依存するようなソフトウェアでもよく、また機種依存を最小限にするように汎用言語（ＪＡＶＡ言語など）で作成されていてもよい。また、携帯電話機１はこのプログラムをインストールしなくても、あるいはアンインストールしても他の機能に影響がないものとする。今後、音声認識や、かな漢字変換の技術の向上によってユーザの確認なしに十分な変換率が得られるようになれば、インストールしなくともよい。さらに、開発コストの削減などのために、携帯電話機１からの本発明のコントロール機能を省略することもできる。
【０１００】
【発明の効果】
本発明によれば、通信端末が音声を文字情報作成装置に送り、文字情報作成装置が音声認識を行ってリアルタイムで文字情報を作成し、その文字情報を通信端末に送り返すので、通信端末に対する少ない操作で容易にリアルタイムで文字情報を作成することができる。
【０１０１】
また、音声認識が文字情報作成装置によって行われるので、通信端末に音声認識機能を備えなくとも音声入力による文字情報作成を実現できる。
【０１０２】
また、音声認識およびかな漢字変換が文字情報作成装置によって行われるので、通信端末よりも処理能力の高い演算装置や記憶容量の大きい記憶装置を用いることができ、変換率の高い音声認識およびかな漢字変換が利用できる。
【０１０３】
また、音声認識およびかな漢字変換が文字情報作成装置によって行われるので、文字情報作成装置のこれらの機能（例えばソフトウェア）を改善することにより、全ての通信端末が改善された機能を利用可能となる。これにより、音声認識ロジックの改善、辞書の更新、不具合の改修などが容易かつ迅速にでき、また機能を一元的に管理できる。
【０１０４】
また、音声認識およびかな漢字変換が文字情報作成装置によって行われるので、通信端末にこれらの機能を搭載する必要が無く、通信端末の大きさや重さ、コストを抑えることができる。
【０１０５】
また、ユーザの意図に合わないためユーザが消去または修正の操作を通信端末に対して行うと、それが文字情報作成装置に通知され、リアルタイムで文字情報が消去または修正されるので、ユーザは通信端末上で文字情報を作成しているかのように、文字情報作成装置上に文字情報を作成することができる。
【０１０６】
また、通信端末にて音声認識が確定されると、文字情報作成装置にて文字情報は、かな漢字変換され、変換後の文字情報が通信端末に送られ、通信端末に表示されるので、通信端末に対する少ない操作で容易にリアルタイムで文字情報をかな漢字変換することができる。
【０１０７】
また、文字情報が通信端末に表示され、ユーザが再変換の操作をすると、それがリアルタイムで文字情報作成装置に通知され、文字情報作成装置にてリアルタイムで再変換されるので、ユーザは通信端末の表示を見ながら、文字情報のかな漢字変換を繰り返し、通信端末上で文字情報を作成するかのように、意図する文字情報を作成することができる。
【０１０８】
また、音声信号、文字情報、通知や指示が、パケット通信などの非音声通信により送信されるので、これらの送信が必要なときにリアルタイムで送信することができる。
【図面の簡単な説明】
【図１】本発明の一実施形態の携帯電話システムおよびそれを構成する各装置の構成を示すブロック図である。
【図２】本実施形態の携帯電話システムの動作を示すシーケンス図である。
【符号の説明】
１　　携帯電話機
１０１　　マイク
１０２　　Ａ／Ｄ変換部
１０３　　パケット通信部
１０４　　文字編集部
１０５　　表示部
１０６　　操作部
１０７　　メール送受信部
２　　文字情報作成装置
２０１　　パケット通信部
２０２　　Ｄ／Ａ変換部
２０３　　音声認識部
２０４　　文字編集部
２０５　　メール送信部
３　　パケット通信回線
【図１】
2004032275.tif 000003
【図２】
2004032275.tif 000004